(57)【要約】      （修正有）【課題】みかん箱タイプのＡ式箱体に容易に組み立て可能な箱用シートを提供する。【解決手段】箱用シートは、左右方向の一方側から他方側に連接される第１長さ面パネル１、第１幅面パネル２、第２長さ面パネル３及び第２幅面パネル４と、第１長さ面パネルの上縁から延出する第１上側外フラップ５及び下縁から延出する第１下側外フラップ６と、第１幅面パネルの上縁から延出する第１上側内フラップ７及び下縁から延出する第１下側内フラップ８と、第２長さ面パネルの上縁から延出する第２上側外フラップ９及び下縁から延出する第２下側外フラップ１０と、第２幅面パネルの上縁から延出する第２上側内フラップ１１及び下縁から延出する第２下側内フラップ１２とを備え、第１上側外フラップと第２上側外フラップの先端縁の左右方向他方側部分、又は第１下側外フラップと第２下側外フラップの先端縁の左右方向他方側部分に一対の切欠き６ａ、１０ａを有する。【選択図】図１
0003218497.tif 000002
【実用新案登録請求の範囲】
【請求項１】
左右方向の一方側から他方側に連接される第１長さ面パネル、第１幅面パネル、第２長さ面パネル及び第２幅面パネルと、
上記第１長さ面パネルの上縁から延出する第１上側外フラップ及び下縁から延出する第１下側外フラップと、
上記第１幅面パネルの上縁から延出する第１上側内フラップ及び下縁から延出する第１下側内フラップと、
上記第２長さ面パネルの上縁から延出する第２上側外フラップ及び下縁から延出する第２下側外フラップと、
上記第２幅面パネルの上縁から延出する第２上側内フラップ及び下縁から延出する第２下側内フラップと
を備え、
箱型に組立可能な箱用シートであって、
上記第１上側外フラップ及び第２上側外フラップの先端縁の左右方向他方側部分、又は上記第１下側外フラップ及び第２下側外フラップの先端縁の左右方向他方側部分に一対の切欠きを有する箱用シート。
【請求項２】
上記一対の切欠きが、組立状態で上記第１上側内フラップ及び第２上側内フラップ、又は上記第１下側内フラップ及び第２下側内フラップと重なり合う請求項１に記載の箱用シート。
【請求項３】
上記一対の切欠きが、開口側の端縁を下底とする略台形状である請求項１又は請求項２に記載の箱用シート。
【請求項４】
上記一対の切欠きが、上記第１下側外フラップ及び第２下側外フラップに形成されている請求項１、請求項２又は請求項３に記載の箱用シート。
【請求項５】
上記一対の切欠きの深さが８ｍｍ以上２０ｍｍ以下である請求項１から請求項４のいずれか１項に記載の箱用シート。
【考案の詳細な説明】
【技術分野】
【０００１】
本考案は、箱用シートに関する。
【背景技術】
【０００２】
段ボールシート等から構成される箱用シートを組み立ててなる箱体が物品の梱包容器として広く用いられている。中でも、左右方向に連接される第１長さ面パネル、第１幅面パネル、第２長さ面パネル及び第２幅面パネルを四角筒状に接続し、第１幅面パネル及び第２幅面パネルの上縁及び下縁から延出する上下各一対の内フラップを内側に折り曲げ、さらに第１長さ面パネル及び第２長さ面パネルの上縁及び下縁から延出する上下各一対の外フラップを先端縁同士を突き合わせるように内側に折り曲げることで四角筒状部の両端開口を封止するＡ式（いわゆるミカン箱タイプ）の箱体が最も多く利用されている。
【０００３】
このＡ式の箱体に組み立てられる箱用シートは、通常、第１長さ面パネル、第１幅面パネル、第２長さ面パネル及び第２幅面パネルが無端状に接続され、かつ第１長さ面パネルの内面と第１幅面パネルの内面とが密着し、第２幅面パネルの内面と第２長さ面パネルの内面とが密着した折り畳み状態でユーザに提供される。
【０００４】
この箱用シートは、ユーザにおいて第１長さ面パネル、第１幅面パネル、第２長さ面パネル及び第２幅面パネルを四角筒状に広げ、一対の下側内フラップ及び一対の下側外フラップを折り込んで底部を形成し、一対の上側内フラップ及び一対の上側外フラップを折り込んで蓋部を形成することで箱体に組み立てられる（実用新案登録第３２１３９９３号公報参照）。
【先行技術文献】
【特許文献】
【０００５】
【特許文献１】実用新案登録第３２１３９９３号公報
【考案の概要】
【考案が解決しようとする課題】
【０００６】
従来の箱用シートを箱体に組み立てる場合、ユーザは、互いに密着したフラップの内面間に手指を入れ、組立時に対向する一対のパネル（第１長さ面パネル及び第２長さ面パネル、又は第１幅面パネル及び第２幅面パネル）から延出する一対のフラップを把持して第１長さ面パネル、第１幅面パネル、第２長さ面パネル及び第２幅面パネルを四角筒状に広げることを要する。
【０００７】
しかしながら、箱体の組み立ての都度、密着したフラップ間に手指を入れることは手間であり、作業時間の短縮や組立作業の容易化の妨げとなっている。
【０００８】
本考案は、このような不都合に鑑みてなされたものであり、Ａ式の箱体に容易に組み立てることが可能な箱用シートの提供を課題とする。
【課題を解決するための手段】
【０００９】
上記課題を解決するためになされた本考案に係る箱用シートは、左右方向の一方側から他方側に連接される第１長さ面パネル、第１幅面パネル、第２長さ面パネル及び第２幅面パネルと、上記第１長さ面パネルの上縁から延出する第１上側外フラップ及び下縁から延出する第１下側外フラップと、上記第１幅面パネルの上縁から延出する第１上側内フラップ及び下縁から延出する第１下側内フラップと、上記第２長さ面パネルの上縁から延出する第２上側外フラップ及び下縁から延出する第２下側外フラップと、上記第２幅面パネルの上縁から延出する第２上側内フラップ及び下縁から延出する第２下側内フラップとを備え、箱型に組立可能な箱用シートであって、上記第１上側外フラップ及び第２上側外フラップの先端縁の左右方向他方側部分、又は上記第１下側外フラップ及び第２下側外フラップの先端縁の左右方向他方側部分に一対の切欠きを有する。
【００１０】
当該箱用シートによると、ユーザは、第１長さ面パネルの内面と第１幅面パネルの内面とが密着し、第２幅面パネルの内面と第２長さ面パネルの内面とが密着した折り畳み状態で、一対の切欠きと重なり合う一対の上側内フラップ（第１上側内フラップ及び第２上側内フラップ）の先端部分又は一対の下側内フラップ（第１下側内フラップ及び第２下側内フラップ）の先端部分を容易に把持し、第１長さ面パネル、第１幅面パネル、第２長さ面パネル及び第２幅面パネルを四角筒状に容易に広げることができる。具体的には、当該箱用シートによると、上記第１幅面パネル及び第２幅面パネルが対向するように上記一対の上側内フラップ又は上記一対の下側内フラップを内側に押し込むことで、上記第１長さ面パネル、第１幅面パネル、第２長さ面パネル及び第２幅面パネルを四角筒状に容易に広げることができる。また、当該箱用シートによると、ユーザは、把持した一対の上側内フラップ又は一対の下側内フラップを内側に折り曲げることで、箱体の蓋部又は底部の組立作業をスムーズに行うことができる。従って、当該箱用シートは、Ａ式の箱体に容易に組み立てることができる。
【００１１】
上記一対の切欠きが、組立状態で上記第１上側内フラップ及び第２上側内フラップ、又は上記第１下側内フラップ及び第２下側内フラップと重なり合うとよい。このように、上記一対の切欠きが、組立状態で上記第１上側内フラップ及び第２上側内フラップ、又は上記第１下側内フラップ及び第２下側内フラップと重なり合うことによって、上記一対の切欠きが箱体の内面に露出しないので、箱体に収容される内容物の一対の切欠きに起因する傷付き等を防止し、内容物を箱体内に安全に保持することができる。
【００１２】
上記一対の切欠きが、開口側の端縁を下底とする略台形状であるとよい。このように、上記一対の切欠きが開口側の端縁を下底とする略台形状であることによって、上記一対の切欠きのエッジへの手指の接触を防止し、これらの切欠きと重なり合う一対の上側内フラップの先端部分又は一対の下側内フラップの先端部分を容易に把持することができる。
【００１３】
上記一対の切欠きが、上記第１下側外フラップ及び第２下側外フラップに形成されているとよい。通常箱体の組み立てに当たっては、内容物を上側から収容できるよう、まず第１長さ面パネル、第１幅面パネル、第２長さ面パネル及び第２幅面パネルを四角筒状に広げた後、底部を組み立て、この底部に内容物を載置したうえで蓋部を組み立てる。そのため、上記一対の切欠きが上記第１下側外フラップ及び第２下側外フラップに形成されていることによって、箱体の底部の組み立てが容易となり、ひいては箱体全体の組み立てをスムーズに行うことができる。
【００１４】
上記一対の切欠きの深さとしては８ｍｍ以上２０ｍｍ以下が好ましい。このように、上記一対の切欠きの深さが上記範囲内であることによって、箱体の組立作業性を十分に高めることができる。また、上記一対の切欠きの深さが上記範囲内であることによって、箱体の組み立てに際し、上記一対の切欠きが形成された一対の外フラップの先端縁同士の合わせ目に沿って粘着テープを貼着する場合に、この粘着テープによって一対の切欠きの外部への露出を容易に防止することができる。
【００１５】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。「下底」とは、台形の平行な２本の底辺のうち、長さの長い方の辺をいう。切欠きの「開口側の端縁」とは、切欠きを画定するフラップの先端縁の延長線をいう。
【考案の効果】
【００１６】
以上説明したように、本考案に係る箱用シートは、Ａ式の箱体に容易に組み立てることができる。
【図面の簡単な説明】
【００１７】
【図１】本考案の一実施形態に係る箱用シートを示す模式的平面図である。
【図２】図１の箱用シートを組み立ててなる箱体を示す模式的斜視図である。
【図３】図１の箱用シートのユーザに提供される折り畳み状態を示す模式的平面図である。
【図４】図３の箱用シートを四角筒状に広げる作業状態を示す模式的斜視図である。
【図５】図１の箱用シートを組み立ててなる箱体の一対の切欠きと第１下側内フラップ及び第２下側内フラップとの位置関係を示す模式的底面図である。
【考案を実施するための形態】
【００１８】
以下、適宜図面を参照しつつ、本考案の実施の形態を詳説する。
【００１９】
［第一実施形態］
図１の箱用シートは、１枚のシートからなる。当該箱用シートは、左右方向の一方側から他方側に連接される第１長さ面パネル１、第１幅面パネル２、第２長さ面パネル３及び第２幅面パネル４と、第１長さ面パネル１の上縁から延出する第１上側外フラップ５及び下縁から延出する第１下側外フラップ６と、第１幅面パネル２の上縁から延出する第１上側内フラップ７及び下縁から延出する第１下側内フラップ８と、第２長さ面パネル３の上縁から延出する第２上側外フラップ９及び下縁から延出する第２下側外フラップ１０と、第２幅面パネル４の上縁から延出する第２上側内フラップ１１及び第２下側内フラップ１２とを備える。また、当該箱用シートは、第１長さ面パネル１の第１幅面パネル２と連接される側と反対側の端縁から延出し、第２幅面パネル４の内面に貼着される糊代部１３を備える。当該箱用シートは、箱型に組み立てられる。具体的には、当該箱用シートは、図２に示すように、Ａ式（ミカン箱タイプ）の箱体２１に組み立てられる。なお、図１において、太い実線はシートを切断して形成される切断線を示し、細い実線はシートの内面に筋押しして形成される罫線を示す。
【００２０】
当該箱用シートに用いられるシートとしては、当該箱用シートを組み立ててなる箱体２１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２１】
第１長さ面パネル１及び第２長さ面パネル３は矩形状かつ略同一形状に形成されている。第１幅面パネル２及び第２幅面パネル４は矩形状かつ略同一形状に形成されている。第１長さ面パネル１及び第２長さ面パネル３の左右方向長さは、第１幅面パネル２及び第２幅面パネル４の左右方向長さよりも大きい。また、第１長さ面パネル１、第１幅面パネル２、第２長さ面パネル３及び第２幅面パネル４の上下方向長さは略等しい。第１長さ面パネル１及び第２長さ面パネル３の左右方向長さとしては、箱体２１内に収容する内容物の大きさ等に基づいて適宜設定可能であるが、例えば２０ｃｍ以上８０ｃｍ以下とすることができる。第１幅面パネル２及び第２幅面パネル４の左右方向長さとしては、箱体２１内に収容する内容物の大きさ等に基づいて適宜設定可能であるが、例えば１０ｃｍ以上６０ｃｍ以下とすることができる。第１長さ面パネル１、第１幅面パネル２、第２長さ面パネル３及び第２幅面パネル４の上下方向長さとしては、箱体２１内に収容する内容物の大きさ等に基づいて適宜設定可能であるが、例えば２０ｃｍ以上６０ｃｍ以下とすることができる。
【００２２】
第１上側外フラップ５及び第２上側外フラップ９は矩形状かつ略同一形状に形成されている。第１上側内フラップ７及び第２上側内フラップ１１は矩形状かつ略同一形状に形成されている。第１上側外フラップ５及び第２上側外フラップ９の幅は、第１長さ面パネル１及び第２長さ面パネル３の左右方向長さと略等しい。第１上側内フラップ７及び第２上側内フラップ１１の幅は、第１幅面パネル２及び第２幅面パネル４の左右方向長さと略等しい。第１上側外フラップ５、第１上側内フラップ７、第２上側外フラップ９及び第２上側内フラップ１１の延出方向長さは、第１幅面パネル２及び第２幅面パネル４の左右方向長さの略１／２である。
【００２３】
当該箱用シートは、第１下側外フラップ６及び第２下側外フラップ１０の先端縁の左右方向他方側部分に一対の切欠き６ａ，１０ａを有する。つまり、第１下側外フラップ６の第１下側内フラップ８側の先端縁に一方の切欠き６ａが形成され、第２下側外フラップ１０の第２下側内フラップ１２側の先端縁に他方の切欠き１０ａが形成されている。第１下側外フラップ６及び第２下側外フラップ１０は、切欠き６ａ，１０ａに対応するエッジを有する以外、第１上側外フラップ５及び第２上側外フラップ９と略同一形状に形成されている。また、第１下側内フラップ８及び第２下側内フラップ１２は、第１上側内フラップ７及び第２上側内フラップ１１と略同一形状に形成されている。
【００２４】
一対の切欠き６ａ，１０ａは、開口側の端縁を下底とする略台形状である。換言すると一対の切欠き６ａ，１０ａは、開口側の端縁の長さが、この端縁と対向する底縁の長さよりも長い略台形状である。一対の切欠き６ａ、１０ａは、略等脚台形状であることが好ましい。一対の切欠き６ａ，１０ａが等脚台形であることによって、第１下側内フラップ８及び第２下側内フラップ１２の一対の切欠き６ａ，１０ａと重なる先端部分を把持した際に、指の先端側及び基端側が一対の切欠き６ａ，１０ａのエッジに接触し難い。
【００２５】
以下、当該箱用シートを箱体２１に組み立てる手順について説明することを通じて一対の切欠き６ａ，１０ａの機能を詳説する。
【００２６】
（組立手順１）
まず、当該箱用シートの展開状態（図１の状態）から、第１長さ面パネル１を第１幅面パネル２の内面に折り重ね、続いて第２幅面パネル４を第２長さ面パネル３の内面に折り重ね、糊代部１３を第２幅面パネル４の内面に貼着する。これにより、図３に示すように、第１長さ面パネル１、第１幅面パネル２、第２長さ面パネル３及び第２幅面パネル４が無端状に接続され、かつ第１長さ面パネル１の内面と第１幅面パネル２の内面とが密着し、第２幅面パネル４の内面と第２長さ面パネル３の内面とが密着した折り畳み体３１が形成される。通常この折り畳み体３１がユーザに提供され、以後の組立作業はユーザにおいて行われる。なお、第２幅面パネル４への糊代部１３の貼着は、例えば接着剤、ステープラー等を用いて行うことができる。
【００２７】
一対の切欠き６ａ，１０ａは、上述のように第１下側外フラップ６及び第２下側外フラップ１０の先端縁の左右方向他方側部分に形成されている。具体的には、図１に示すように、第１下側外フラップ６の左右方向他方側の側縁６ｂからこの第１下側外フラップ６に形成される一方の切欠き６ａの左右方向一方側の端部までの距離Ｄ１は、第１下側内フラップ８の幅Ｗ１以下であり、かつ第２下側外フラップ１０の左右方向他方側の側縁１０ｂからこの第２下側外フラップ１０に形成される他方の切欠き１０ａの左右方向一方側の端部までの距離Ｄ２は、第２下側内フラップ１２の幅Ｗ２以下である。これにより、図３の折り畳み体３１において、一方の切欠き６ａは第１下側内フラップ８と重なり合い、他方の切欠き１０ａは第２下側内フラップ１２と重なり合う。
【００２８】
（組立手順２）
次に、図４に示すように、第１下側内フラップ８及び第２下側内フラップ１２の一対の切欠き６ａ，１０ａと重なる先端部分を把持し、第１長さ面パネル１、第１幅面パネル２、第２長さ面パネル３及び第２幅面パネル４を四角筒状に広げる。具体的には、第１幅面パネル２及び第２幅面パネル４が対向するように第１下側内フラップ８及び第２下側内フラップ１２の一対の切欠き６ａ，１０ａと重なる先端部分を内側に押し込むことで第１長さ面パネル１、第１幅面パネル２、第２長さ面パネル３及び第２幅面パネル４を四角筒状に広げる。当該箱用シートは、上述のように一対の切欠き６ａ，１０ａが開口側の端縁を下底とする略台形状であるので、ユーザは、一対の切欠き６ａ，１０ａのエッジへの手指の接触を防止しつつ、一対の切欠き６ａ，１０ａと重なり合う第１下側内フラップ８及び第２下側内フラップ１２の先端部分を容易に把持することができる。
【００２９】
第１下側外フラップ６及び第２下側外フラップ１０の左右方向他方側の側縁６ｂ，１０ｂから、第１下側外フラップ６及び第２下側外フラップ１０に形成される切欠き６ａ，１０ａの幅方向中心部までの距離の下限としては、３ｃｍが好ましく、５ｃｍがより好ましい。一方、上記距離の上限としては、１０ｃｍが好ましく、８ｃｍがより好ましい。上記距離が上記下限に満たないと、第１長さ面パネル１、第１幅面パネル２、第２長さ面パネル３及び第２幅面パネル４を四角筒状に広げ始める作業が容易でなくなるおそれがある。逆に、上記距離が上記上限を超えると、第１下側内フラップ８及び第２下側内フラップ１２を内側に押し込むことで第１長さ面パネル１、第１幅面パネル２、第２長さ面パネル３及び第２幅面パネル４を四角筒状に形成する作業が容易でなくなるおそれがある。
【００３０】
一対の切欠き６ａ，１０ａの下底の長さ下限としては、３ｃｍが好ましく、５ｃｍがより好ましい。一方、上記下底の長さの上限としては、１０ｃｍが好ましく、８ｃｍがより好ましい。上記下底の長さが上記下限に満たないと、第１下側内フラップ８及び第２下側内フラップ１２の一対の切欠き６ａ，１０ａと重なり合う先端部分を把持し難くなるおそれがある。逆に、上記下底の長さが上記上限を超えると、一対の切欠き６ａ，１０ａが不必要に大きくなり、組立状態で一対の切欠き６ａ，１０ａが箱体２１の内面に露出し、内容物を安全に保持し難くなるおそれがある。
【００３１】
一対の切欠き６ａ，１０ａの底角の下限としては、３０°が好ましく、４０°がより好ましい。一方、上記底角の上限としては、７０°が好ましく、６０°がより好ましい。上記底角が上記下限に満たないと、一対の切欠き６ａ，１０ａの下底の長さを適度に保った場合に、一対の切欠き６ａ，１０ａの深さを十分に大きくするのが困難となり、第１下側内フラップ８及び第２下側内フラップ１２の一対の切欠き６ａ，１０ａと重なり合う部分を把持し難くなるおそれがある。逆に、上記底角が上記上限を超えると、一対の切欠き６ａ，１０ａのエッジに指が接触するおそれや、一対の切欠き６ａ，１０ａが大きくなり過ぎるおそれがある。
【００３２】
一対の切欠き６ａ，１０ａの深さの下限としては、８ｍｍが好ましく、１０ｍｍがより好ましい。一方、上記深さの上限としては、２０ｍｍが好ましく、１５ｍｍがより好ましい。上記深さが上記下限に満たないと、第１下側内フラップ８及び第２下側内フラップ１２の一対の切欠き６ａ，１０ａと重なり合う先端部分を把持し難くなるおそれがある。逆に、上記深さが上記上限を超えると、箱体２１の組み立てに際し、第１下側外フラップ６及び第２下側外フラップ１０の先端縁同士の合わせ目に沿って粘着テープを貼着する場合に、この粘着テープによって一対の切欠き６ａ，１０ａを十分に覆うことができないおそれがある。その結果、一対の切欠き６ａ，１０ａの露出部分が他の物体と接触することで箱体２１が破損するおそれや、一対の切欠き６ａ，１０ａの露出部分から箱体２１内に異物が混入するおそれがある。
【００３３】
（組立手順３）
次に、図４の第１長さ面パネル１、第１幅面パネル２、第２長さ面パネル３及び第２幅面パネル４を四角筒状に広げた状態から、第１下側内フラップ８及び第２下側内フラップ１２を内側に折り曲げ、さらに第１下側外フラップ６及び第２下側外フラップ１０を内側に折り曲げて先端縁同士を突き合わせる。これにより、箱体２１の底部が形成される。当該箱用シートは、第１下側内フラップ８及び第２下側内フラップ１２を把持して第１長さ面パネル１、第１幅面パネル２、第２長さ面パネル３及び第２幅面パネル４を四角筒状に広げるので、この作業に連続して第１下側内フラップ８及び第２下側内フラップ１２を内側に折り曲げやすい。
【００３４】
続いて、底部の内面に内容物を載置したうえ、第１上側内フラップ７及び第２上側内フラップ１１を内側に折り曲げ、さらに第１上側外フラップ５及び第２上側外フラップ９を内側に折り曲げて先端縁同士を突き合わせる。これにより、箱体２１の蓋部が形成され、箱体２１が組み立てられる。なお、箱体２１は、第１上側外フラップ５及び第２上側外フラップ９の先端縁同士、並びに第１下側外フラップ６及び第２下側外フラップ１０の先端縁同士の合わせ目に沿って粘着テープＸを貼着することで封函状態が保持される。
【００３５】
図５に示すように、一対の切欠き６ａ，１０ａは、組立状態で第１下側内フラップ８及び第２下側内フラップ１２と重なり合うことが好ましい。より詳しくは、一方の切欠き６ａの全体が第１下側内フラップ８に重なり合い、他方の切欠き１０ａの全体が第２下側内フラップ１２に重なり合うことが好ましい。当該箱用シートは、第１下側外フラップ６の左右方向他方側の側縁６ｂから一方の切欠き６ａの左右方向一方側の端部までの距離Ｄ１が第１下側内フラップ８の延出方向長さＬ以下であることで、一方の切欠き６ａの全体を第１下側内フラップ８に重なり合うよう構成することができる。また、当該箱用シートは、第２下側外フラップ１０の左右方向他方側の側縁１０ｂから他方の切欠き１０ａの左右方向一方側の端部までの距離Ｄ２が第２下側内フラップ１２の延出方向長さＬ以下であることで、他方の切欠き１０ａの全体を第２下側内フラップ１２に重なり合うよう構成することができる。当該箱用シートは、一対の切欠き６ａ，１０ａが組立状態で第１下側内フラップ８及び第２下側内フラップ１２と重なり合うことで、一対の切欠き６ａ，１０ａの箱体２１の内面への露出を抑制することができる。これにより、当該箱用シートは、箱体２１に収容される内容物が一対の切欠き６ａ，１０ａに起因して傷付くことを抑制し、内容物を箱体２１内に安全に保持することができる。
【００３６】
＜利点＞
当該箱用シートは、第１長さ面パネル１の内面と第１幅面パネル２の内面とが密着し、第２幅面パネル４の内面と第２長さ面パネル３の内面とが密着した折り畳み状態で、一対の切欠き６ａ，１０ａが第１下側内フラップ８及び第２下側内フラップ１２と重なり合っている。そのため、当該箱用シートによると、ユーザは、第１下側内フラップ８及び第２下側内フラップ１２の一対の切欠き６ａ，１０ａと重なり合う先端部分を容易に把持し、第１長さ面パネル１、第１幅面パネル２、第２長さ面パネル３及び第２幅面パネル４を容易に四角筒状に広げることができる。具体的には、当該箱用シートによると、第１幅面パネル２及び第２幅面パネル４が対向するように第１下側内フラップ８及び第２下側内フラップ１２を内側に押し込むことで第１長さ面パネル１、第１幅面パネル２、第２長さ面パネル３及び第２幅面パネル４を四角筒状に容易に広げることができる。また、当該箱用シートによると、ユーザは、把持した第１下側内フラップ８及び第２下側内フラップ１２を内側に折り曲げることで、底部の組立作業をスムーズに行うことができる。従って、当該箱用シートは、Ａ式の箱体２１に容易に組み立てることができる。
【００３７】
当該箱用シートは、通常、内容物を上側から収容できるよう、底部を形成し、この底部の内面に内容物を載置したうえで蓋部を形成する。当該箱用シートは、一対の切欠き６ａ，１０ａが第１下側外フラップ６及び第２下側外フラップ１０に形成されているので、第１長さ面パネル１、第１幅面パネル２、第２長さ面パネル３及び第２幅面パネル４を四角筒状に広げる作業から連続して箱体２１の底部を容易に形成することができ、ひいては箱体２１全体の組み立てをスムーズに行うことができる。
【００３８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３９】
例えば上記一対の切欠きは、第１上側外フラップ及び第２上側外フラップの先端縁の左右方向他方側部分に形成されていてもよい。上記一対の切欠きが第１上側外フラップ及び第２上側外フラップの先端縁の左右方向他方側部分に形成される場合、これらの切欠きのフラップ上での具体的配置、形状及びサイズは、第一実施形態で説明した一対の切欠き６ａ，１０ａと同様とすることができる。
【００４０】
上記糊代部は、第２幅面パネルの第２長さ面パネルと連接される側と反対側の端縁から延出するよう設けられてもよい。
【産業上の利用可能性】
【００４１】
以上のように、本考案の箱用シートは、Ａ式の箱体に容易に組み立てることができる。
【符号の説明】
【００４２】
１  第１長さ面パネル
２  第１幅面パネル
３  第２長さ面パネル
４  第２幅面パネル
５  第１上側外フラップ
６  第１下側外フラップ
６ａ  切欠き
６ｂ  側縁
７  第１上側内フラップ
８  第１下側内フラップ
９  第２上側外フラップ
１０  第２下側外フラップ
１０ａ  切欠き
１０ｂ  側縁
１１  第２上側内フラップ
１２  第２下側内フラップ
１３  糊代部
２１  箱体
３１  折り畳み体
Ｘ  粘着テープ
【図１】
0003218497.tif 000003
【図２】
0003218497.tif 000004
【図３】
0003218497.tif 000005
【図４】
0003218497.tif 000006
【図５】
0003218497.tif 000007